(57)【特許請求の範囲】
【請求項１】
睫毛加熱部を睫毛成形部の上面に配設した睫毛成形具において、睫毛と接触して睫毛を加熱する睫毛加熱部が睫毛成形部の上面に、睫毛成形部の長手方向に沿って２列に配設され、睫毛成形部の上面に睫毛加熱部の側部及び上方を覆う複数の突起部が間隔をおいて立設され、２本の睫毛加熱部に温度差を設定することが可能なことを特徴とする睫毛成形具。
【発明の詳細な説明】
【０００１】
【発明の属する技術分野】
本発明は、睫毛に癖付けを行うための睫毛成形具に関するものである。
【０００２】
【従来の技術】
従来の睫毛成形具は、特開平１０−１９２０３７号公報に記載のようにブラシ部１０４の上面に、幅方向中央部に１本の発熱体１１４が縦に配列されており、発熱体１１４がブラシ部１０４の幅方向端面より離れているため、睫毛根元を睫発熱体１１４に接触させることができず、その結果、睫毛根元を加熱できず、睫毛根元の成形をすることができなかった。また発熱体１１４への個々の睫毛の接触は一点でしか接触していないため、睫毛への伝熱効率が低かった。そして、この伝熱効率の低さを補うために発熱体１１４の温度は高く設定されるが、睫毛の一部が局所的に加熱成形されるだけで、睫毛全体の成形は困難であった。
【０００３】
【発明が解決しようとする課題】
本発明は、上記の点に鑑みて為されたものであり、その目的とするところは伝熱効率を向上させ、発熱体から成る睫毛加熱部を低い温度に設定しても睫毛の根元から先端までを容易に成形することが可能な睫毛成形具を提供することにある。
【０００４】
【課題を解決するための手段】
本発明の請求項１に係る睫毛成形具は、睫毛加熱部１を睫毛成形部２の上面に配設した睫毛成形具において、睫毛と接触して睫毛を加熱する睫毛加熱部１が睫毛成形部２の上面に、睫毛成形部２の長手方向に沿って２列に配設され、睫毛成形部２の上面に睫毛加熱部１の側部及び上方を覆う複数の突起部７が間隔をおいて立設されていることを特徴とするものである。
【０００５】
また、２本の睫毛加熱部１に温度差を設定することが可能なことを特徴とするものである。
【０００６】
【発明の実施の形態】
本発明の実施の形態を図１乃至図８に基づいて説明する。
【０００７】
本発明の参考例の睫毛成形具の実施の形態を図１乃至図４に示す。本睫毛成形具は発熱体からなる睫毛加熱部１を有する睫毛成形部２と、ハンドル部３と、これらを連結する連結部４から構成される。ハンドル部３内には電池が内蔵され、ハンドル部３の外面に設置されたスイッチ５によって睫毛成形部２に配設した睫毛加熱部１と通電可能となっている。
【０００８】
睫毛成形部２は睫毛加熱部保持枠６にて形成され、その上面に睫毛加熱部１が睫毛成形部２の長手方向に沿って２列に配列保持されている。このように睫毛加熱部１を配置することで、睫毛が２列に配列された睫毛加熱部１と二点で接触し、伝熱効率を高くすることができる。更にはこの２列の睫毛加熱部１を各々、睫毛加熱部保持枠６の幅方向端部近傍に配することで、睫毛根元に睫毛加熱部１を接触させることができ、睫毛の成形が睫毛根元から可能となるとともに、睫毛を広範囲に加熱できるので、睫毛全体の成形を容易に行うことができる。尚、睫毛に効率良く伝熱するために睫毛加熱部１の、睫毛加熱部保持枠６の上面からの突出量を１ｍｍ内外とすると良い。また２列の睫毛加熱部１は各々、睫毛加熱部保持枠６の幅方向端面より１〜２ｍｍ程度の位置に配するのが良い。そして更に睫毛成形時、睫毛加熱部１を使用者の皮膚及び眼球から一定の距離離して位置させるために、睫毛加熱部１の側部及び上方を覆うように円弧状の突起部７が一定間隔をおいて立設してある。この突起部７の外周部は睫毛加熱部１より１〜３ｍｍ程度離して位置させ、突起部７は２〜４ｍｍ程度の間隔で配する。この突起部７によって睫毛の毛流れを整えることもできる。
【０００９】
次に本発明の他の参考例の睫毛成形具の実施の形態を図５に示す。図５では１本の睫毛加熱部１１が睫毛成形部２の先端部で折返して形成され、睫毛加熱部保持枠６に保持されている。このような構成とすることで、前述の睫毛成形具と同じ効果を奏するととともに、前述の睫毛成形具と比べて、睫毛加熱部が１本のため、構造を簡素化、小型化することが可能となり、コスト低減も図れる。
【００１０】
次に本発明に係る睫毛成形具の実施の形態を図６乃至図８に示す。睫毛加熱部Ａ２１とスイッチ５との間に温度上昇用スイッチＡ２３と抵抗Ｒ１を並列で接続し、且つ睫毛加熱部Ｂ２２とスイッチ５との間に温度上昇用スイッチＢ２３と抵抗Ｒ２を並列で接続することにより、温度上昇用スイッチＡ２３を押下した時のみ、睫毛加熱部Ａ２１に流れる電流を増大させ、睫毛加熱部Ａ２１の温度を一時的に上昇させることができ、温度上昇用スイッチＢ２４を押下した時のみ、睫毛加熱部Ｂ２２に流れる電流を増大させ、睫毛加熱部Ｂ２２の温度を一時的に上昇させることができる。尚、温度上昇用スイッチＡ２３及び温度上昇用スイッチＢ２４はハンドル部３の上面側にスイッチ５に近接させて配設してある。このような構成とすることで、睫毛成形時に、加熱する側の睫毛に応じて、睫毛の根元から遠い側の睫毛加熱部の温度を選択的に一時的に上昇させて、睫毛先端部を迅速に加熱することができ、睫毛先端部のカールを容易に行うことができる。
【００１１】
【発明の効果】
本発明の請求項１に記載の発明にあっては、睫毛加熱部を睫毛成形部の上面に配設した睫毛成形具において、睫毛と接触して睫毛を加熱する睫毛加熱部が睫毛成形部の上面に、睫毛成形部の長手方向に沿って２列に配設され、睫毛成形部の上面に睫毛加熱部の側部及び上方を覆う複数の突起部が間隔をおいて立設されていることで、睫毛が２列に配列された睫毛加熱部と二点で接触するので伝熱効率を高くすることができ、更には２列の睫毛加熱部を睫毛成形部の幅方向両端近傍に配することで、睫毛根元に睫毛加熱部を接触させることができ、睫毛の成形が睫毛根元から可能となるとともに、睫毛を広範囲に加熱できるので、睫毛全体の成形が容易となり、また、突起部により睫毛成形時、睫毛加熱部を使用者の皮膚及び眼球から一定の距離離して位置させることができると共にこの突起部によって睫毛の毛流れを整えることもできる。
【００１２】
また、２本の睫毛加熱部に温度差を設定することが可能なことで、２本の睫毛加熱部の内、睫毛先端側の睫毛加熱部の温度を一時的に上昇させて、睫毛先端部を迅速に加熱することにより、カールを容易に行うことができる。
【図面の簡単な説明】
【図１】  本発明の参考例の一例を示す側面図である。
【図２】  同上の上面図である。
【図３】  図２のＡ−Ａ線断面図である。
【図４】  図３のＢ−Ｂ線断面図である。
【図５】  本発明の他の参考例を示す睫毛成形部拡大図である。
【図６】  本発明の実施の形態の一例を示す側面図である。
【図７】  同上の上面図である。
【図８】  同上の回路図である。
【符号の説明】
１  睫毛加熱部
２  睫毛成形部
７  突起部
【図１】
0003915289.tif 000002
【図２】
0003915289.tif 000003
【図３】
0003915289.tif 000004
【図４】
0003915289.tif 000005
【図５】
0003915289.tif 000006
【図６】
0003915289.tif 000007
【図７】
0003915289.tif 000008
【図８】
0003915289.tif 000009